(57)【要約】      （修正有）【課題】ワイヤの線径を限定せず、圧接端子に対するワイヤの適用性を拡大し、接触不良及びワイヤの破断を克服することができるスタッガード型圧接端子を提供する。【解決手段】スタッガード型圧接端子６１は、ベース部、第一クリップ２０１及び第二クリップ２０２を含む。ベース部は、第一表面と第一表面と反対する第二表面を含む。第一クリップ２０１は、第一表面から延びる第三表面４０３と、第二表面から延びる第四表面４０４と、第四表面４０４に隣接する第一傾斜面４１１と、第三表面４０３と第一傾斜面４１１との間の第一切断面４２１とを含む。第二クリップ２０２は、第一表面から延びる第五表面４０５と、第二表面から延びる第六表面４０６と、第五表面４０５に隣接する第二傾斜面４１２と、第六表面４０６と第二傾斜面４１２との間の第二切断面４２２とを含む。第一傾斜面４１１は、第二切断面４２２と対向し、第二傾斜面４１２は、第一切断面４２１と対向する。【選択図】図４（Ａ）
0003197521.tif 000002
【実用新案登録請求の範囲】
【請求項１】
第一表面と前記第一表面の反対側に位置する第二表面を含むベース部と、
前記第一表面から延びる第三表面と、前記第二表面から延びる第四表面と、前記第四表面に隣接する第一傾斜面と、前記第三表面と前記第一傾斜面との間の第三表面に垂直にカットされた第一切断面とを含む第一クリップと、
前記第一表面から延びる第五表面と、前記第二表面から延びる第六表面と、前記第五表面に隣接する第二傾斜面と、前記第六表面と前記第二傾斜面との間の第六表面に垂直にカットされた第二切断面とを含む第二クリップと、を含み、
前記第一傾斜面は、前記第二切断面と対向し、前記第二傾斜面は、前記第一切断面と対向することを特徴とするスタッガード型圧接端子。
【請求項２】
前記第一傾斜面と前記第二傾斜面との間には、破断箇所があり、
前記第一切断面と前記第二切断面は、ワイヤの絶縁体の破断に用いて、前記ワイヤをクランプすることを特徴とする請求項１に記載のスタッガード型圧接端子。
【請求項３】
前記スタッガード型圧接端子は、導電性材料からなり、２２〜３０ＡＷＧのワイヤに適合し、
前記第一クリップと前記第二クリップは、前記ベース部からＹ軸方向に平行に延びることを特徴とする請求項１に記載のスタッガード型圧接端子。
【請求項４】
前記第三表面と前記第五表面は、第一平面にあり、
前記第四表面と前記第六表面は、第二平面にあり、
前記第一傾斜面と前記第一切断面は、第一刃部を形成し、前記第二傾斜面と前記第二切断面は、第二刃部を形成することを特徴とする請求項１に記載のスタッガード型圧接端子。
【請求項５】
ワイヤの絶縁体を破断して接続するための接続端子であって、
ベース部と、
基準面の第一側に位置する第一切断面と、前記第一切断面に隣接する第一傾斜面と、を含み、前記第一傾斜面が前記基準面を通過し、前記基準面が前記ワイヤの絶縁体の破断位置を通過する第一刃部と、
前記ベース部を通過し前記第一刃部に接続する第二刃部であって、前記基準面の第二側に位置する第二切断面と、前記第二切断面に隣接する第二傾斜面と、を含み、前記第二傾斜面が前記基準面を通過し且つ前記第一切断面と対向し、前記第一傾斜面が前記第二切断面に対向する前記第二刃部と、を含むことを特徴とする接続端子。
【請求項６】
基準面の第一側に位置する第一切断面と、前記第一切断面に隣接する第一傾斜面と、を含み、前記第一傾斜面が前記基準面を通過する第一刃部と、
前記基準面の第二側に位置する第二切断面と、前記第二切断面に隣接する第二傾斜面と、を含み、前記第二傾斜面が前記基準面を通過し且つ前記第一切断面と対向し、前記第一傾斜面が前記第二切断面に対向する第二刃部と、を含むことを特徴とするワイヤの絶縁体を破断する端子。
【請求項７】
厚さ及び第一切断面を有する第一刃部と、
前記厚さ及び第二切断面を有する第二刃部と、を含み、
前記第一切断面及び前記第二切断面は、変位幅を前記厚さの方向に沿って有する変位刃部を形成し、前記変位幅は、より大きい変位幅から、前記厚さの方向に沿って徐々により小さくなり、そして前記より小さい変位幅からより大きくなることを特徴とするワイヤの絶縁体を破断する端子。
【請求項８】
厚さ及び第一切断面を有する第一刃部と、
前記厚さ及び第二切断面を有する第二刃部と、を含み、
前記第一切断面及び前記第二切断面は、複数の変位幅を有する変位刃部を形成し、前記変位刃部は、前記厚さ方向に沿う前記複数の変位幅が等しくないことを特徴とするワイヤの絶縁体を破断する端子。
【考案の詳細な説明】
【技術分野】
【０００１】
（関連出願の相互参照）
本出願は、２０１４年３月３日に出願された第１０３２０３６１５号の台湾出願に基づく利益を主張し、その内容は参考として本明細書に取り入れるものとする。
【０００２】
本考案は、圧接端子に関し、特に、端子の絶縁体の破損部分が変位しているスタッガード型圧接端子に関する。
【背景技術】
【０００３】
ネットワーク接続装置及び電話線接続装置における圧接端子（Insulation Displacement Connector，ＩＤＣ）は、電気信号を転送するために、ケーブルの絶縁層を突き刺し、ケーブルの導体と接触することができる。図１（Ａ）は、従来の圧接端子１を示す正面模式図である。図１（Ａ）において、圧接端子１は、左右対称のクリップ１０を二つ有することで、ワイヤ１１がクリップ１０に嵌合される時、ワイヤ１１の絶縁体が対称的に破損されるため、絶縁体の破損部分が同一方向に集中すぎてワイヤ１１の破断が発生しやすくなる。或いは、線径が小さいワイヤ１１を使用する場合、クリップ１０とワイヤ１１との接触部分が小さすぎて接触不良になる。図１（Ｂ）は、図１（Ａ）の上面を示す模式図である。図１（Ｂ）から見れば、接触部分１２が狭すぎ、すなわち、クリップ１０とワイヤ１１との接触部分が小さすぎて接触不良の主因となる。上述したように、従来の圧接端子１の欠点は、ワイヤ１１の線径が局限され、接触不良及びワイヤ１１の破断が発生しやすくなる恐れがある。
【０００４】
台湾実用新案出願第０８８２２０４１８号には、アーチ接続する構造を有する、小径のワイヤ用圧接端子が開示されている。しかし、ワイヤの線径が限定され、接触不良及びワイヤの破断が発生しやすくなる恐れがある。
【考案の概要】
【考案が解決しようとする課題】
【０００５】
即ち、従来の課題は、ワイヤの線径が限定され、接触不良及びワイヤの破断が発生しやすくなる恐れがある。本考案は、このような従来の課題を解決するために、スタッガード型圧接端子を提案する。スタッガード型圧接端子は、ワイヤの線径に限定せず、圧接端子に対するワイヤの適用性を拡大し、接触不良及びワイヤの破断を克服することができる。本考案はこのような従来の課題を解決するため、実験と研究を重ねた結果、見出されたものである。
【課題を解決するための手段】
【０００６】
従来技術に鑑み、本考案は、スタッガード型圧接端子を提出する。前記スタッガード型圧接端子は、第一表面と前記第一表面の反対側に位置する第二表面を含むベース部と、前記第一表面から延びる第三表面と、前記第二表面から延びる第四表面と、前記第四表面に隣接する第一傾斜面と、前記第三表面と前記第一傾斜面との間の第三表面に垂直にカットされた第一切断面とを含む第一クリップと、前記第一表面から延びる第五表面と、前記第二表面から延びる第六表面と、前記第五表面に隣接する第二傾斜面と、前記第六表面と前記第二傾斜面との間の第六表面に垂直にカットされた第二切断面とを含む第二クリップと、を含み、前記第一傾斜面は、前記第二切断面と対向し、前記第二傾斜面は、前記第一切断面と対向する。
【０００７】
上述の目的を達成するために、接続端子を提供する。前記接続端子は、ワイヤの絶縁体を破断して接続するための接続端子であって、ベース部と、基準面の第一側に位置する第一切断面と、前記第一切断面に隣接する第一傾斜面と、を含み、前記第一傾斜面が前記基準面を通過し、前記基準面が前記ワイヤの絶縁体の破断位置を通過する第一刃部と、前記ベース部を通過し前記第一刃部に接続する第二刃部であって、前記基準面の第二側に位置する第二切断面と、前記第二切断面に隣接する第二傾斜面と、を含み、前記第二傾斜面が前記基準面を通過し且つ前記第一切断面と対向し、前記第一傾斜面が前記第二切断面に対向する前記第二刃部と、を含む。
【０００８】
上述の目的を達成するために、ワイヤの絶縁体を破断する端子を提供する。前記端子は、基準面の第一側に位置する第一切断面と、前記第一切断面に隣接する第一傾斜面と、を含み、前記第一傾斜面が前記基準面を通過する第一刃部と、前記基準面の第二側に位置する第二切断面と、前記第二切断面に隣接する第二傾斜面と、を含み、前記第二傾斜面が前記基準面を通過し且つ前記第一切断面と対向し、前記第一傾斜面が前記第二切断面に対向する第二刃部と、を含む。
【０００９】
上述の目的を達成するために、ワイヤの絶縁体を破断する端子を提供する。前記端子は、厚さ及び第一切断面を有する第一刃部と、前記厚さ及び第二切断面を有する第二刃部と、を含み、前記第一切断面及び前記第二切断面は、変位幅を前記厚さの方向に沿って有する変位刃部を形成し、前記変位幅は、より大きい変位幅から、前記厚さの方向に沿って徐々により小さくなり、そして前記より小さい変位幅からより大きくなる。
【００１０】
上述の目的を達成するために、ワイヤの絶縁体を破断する端子を提供する。前記端子は、厚さ及び第一切断面を有する第一刃部と、前記厚さ及び第二切断面を有する第二刃部と、を含み、前記第一切断面及び前記第二切断面は、複数の変位幅を有する変位刃部を形成し、前記変位刃部は、前記厚さ方向に沿う前記複数の変位幅が等しくない。
【考案の効果】
【００１１】
上記のように、本考案に係るスタッガード型圧接端子、接続端子及びワイヤの絶縁体を破断する端子は、ワイヤと端子との間の接触面積が従来の端子よりも大きく、より小さい破断する力を有することで、ワイヤの適用性を拡大できる。
【図面の簡単な説明】
【００１２】
【図１（Ａ）】従来の圧接端子を示す正面模式図である。
【図１（Ｂ）】図１（Ａ）の上面を示す模式図である。
【図２】本考案の好ましい実施形態に係るスタッガード型圧接端子を示す正面模式図である。
【図３】本考案の好ましい実施形態に係るスタッガード型圧接端子を第一方向から見た模式図である。
【図４（Ａ）】本考案の好ましい実施形態に係るスタッガード型圧接端子を第二方向から見た模式図である。
【図４（Ｂ）】本考案の好ましい実施形態に係るスタッガード型圧接端子を第二方向から見た模式図である。
【図４（Ｃ）】本考案の好ましい実施形態に係るスタッガード型圧接端子を第二方向から見た模式図である。
【図４（Ｄ）】本考案の好ましい実施形態に係るスタッガード型圧接端子を第二方向から見た模式図である。
【図４（Ｅ）】本考案の好ましい実施形態に係るスタッガード型圧接端子を第二方向から見た模式図である。
【図５】本考案の好ましい実施形態に係るスタッガード型圧接端子を示す上面模式図である。
【考案を実施するための形態】
【００１３】
以下のように、本考案を実施例に基づいて詳述するが、あくまでも例示であって、本考案の範囲はこれらの実施形態に限定されない。本考案の範囲は、実用新案登録請求の範囲に記載されており、さらに実用新案登録請求の範囲の記載と均等な意味及び範囲内での全ての変更を含んでいる。
【００１４】
本考案は、以下の好ましい実施形態及び図面によってさらに詳しく説明する。
【００１５】
図２は、本考案の好ましい実施形態に係るスタッガード型圧接端子２を示す正面模式図である。図３は、図２のスタッガード型圧接端子を第一方向から見た模式図である。
【００１６】
スタッガード型圧接端子２は導電性材料からなる。第一クリップ２０１及び第二クリップ２０２は、ワイヤの絶縁体の破断に用いて、直径を有するワイヤ１１をクランプする。スタッガード型圧接端子２の構成は、図１に示す従来の構成と比べれば明らかに異なる。一つの好ましい実施形態において、図２に示すスタッガード型圧接端子２は、第一クリップ２０１と第二クリップ２０２との切口がスタッガード型のものであり、ワイヤ１１の絶縁体が対称的に破損されていないため、絶縁体の破損部分が同一方向に集中していない。図３において、第一表面３０１と第二表面３０２は、ベース部２１の二つの相対面である。
【００１７】
図１と図２から見れば、本考案に係るスタッガード型圧接端子２は、２２〜３０ＡＷＧのワイヤ１１に適合し、２８〜３０ＡＷＧのワイヤ１１にも適合し、ワイヤ１１と端子との間の接触面積が従来の端子１よりも大きく、より小さい破断力を有することで、ワイヤの適用性を拡大できる。
【００１８】
図４（Ａ）は、本考案の好ましい実施形態に係るスタッガード型圧接端子２を第二方向から見た第一模式図である。図４（Ａ）は、Ｈ-Ｈ’線に沿う断面を示す上面模式図である。
【００１９】
図４（Ａ）に示す実施形態において、スタッガード型圧接端子６１は、ベース部２１、第一クリップ２０１及び第二クリップ２０２を含む。ベース部２１は、第一表面３０１と第一表面３０１と反対する第二表面３０２を含む。第一クリップ２０１は、第一表面３０１から延びる第三表面４０３と、第二表面３０２から延びる第四表面４０４と、第四表面４０４に隣接する第一傾斜面４１１と、第三表面４０３と第一傾斜面４１１との間の第一切断面４２１とを含む。第二クリップ２０２は、第一表面３０１から延びる第五表面４０５と、第二表面３０２から延びる第六表面４０６と、第五表面４０５に隣接する第二傾斜面４１２と、第六表面４０６と第二傾斜面４１２との間の第二切断面４２２とを含む。第一傾斜面４１１は、第二切断面４２２と対向し、第二傾斜面４１２は、第一切断面４２１と対向する。
【００２０】
図４（Ａ）に示すように、第一クリップ２０１と第二クリップ２０２は、ベース部２１からＹ軸方向に平行に延びる。第三表面４０３と第五表面４０５は、第一平面にあり、第四表面４０４と第六表面４０６は、第二平面にある。第一傾斜面４１１と第二傾斜面４１２は、スタッガード型圧接端子の切口の主な特徴とする。
【００２１】
図４（Ｂ）は、本考案の好ましい実施形態に係るスタッガード型圧接端子２を第二方向から見た第二模式図である。図４（Ｂ）は、Ｈ-Ｈ’線に沿う断面を示す上面模式図である。図４（Ｂ）において、第一傾斜面４１１と第一切断面４２１は、第一刃部４３１を形成し、第二傾斜面４１２と第二切断面４２２は、第二刃部４３２を形成する。第一刃部４３１と第二刃部４３２は、スタッガード型圧接端子の切口の特別構成を形成する。
【００２２】
図４（Ｂ）に示す実施形態において、接続端子６２は、ワイヤ１１の絶縁体を破断して接続するための接続端子である。接続端子６２は、ベース部２１、第一刃部４３１及び第二刃部４３２を含む。第一刃部４３１は、基準面Ｐの第一側Ｓ１に位置する第一切断面４２１と、第一切断面４２１に隣接する第一傾斜面４１１と、を含む。第一傾斜面４１１は、基準面Ｐを通過し、基準面Ｐは、ワイヤ１１の絶縁体の破断位置Ｘを通過する。第二刃部４３２は、ベース部２１を通過し第一刃部４３１に接続する。第二刃部４３２は、基準面Ｐの第二側Ｓ２に位置する第二切断面４２２と、第二切断面４２２に隣接する第二傾斜面４１２と、を含む。第二傾斜面４１２は、基準面Ｐを通過し且つ第一切断面４２１と対向し、第一傾斜面４１１は、第二切断面４２２に対向する。
【００２３】
一つの実施形態において、接続端子６２は、基準面Ｐ、基準面Ｐの第一側Ｓ１と第二側Ｓ２を有する。第一クリップ２０１は、少なくとも第一機構特徴を含み、第二クリップ２０２は、少なくとも第二機構特徴を含む。基準面Ｐ、基準面Ｐの第一側Ｓ１と第二側Ｓ２は、少なくとも第一機構特徴と少なくとも第二機構特徴との間の位置関係を示している。
【００２４】
図４（Ａ）と４（Ｂ）に示すように、第一切断面４２１は、基準面Ｐの第一側Ｓ１に位置し、基準面Ｐを通過する第一傾斜面４１１に隣接する。基準面Ｐは、第一クリップ２０１と第二クリップ２０２との間のワイヤ１１の絶縁体の破断位置Ｘを通過する。第二切断面４２２は、基準面Ｐの第二側Ｓ２に位置し、基準面Ｐを通過する第二傾斜面４１２に隣接する。第一傾斜面４１１は、第二切断面４２２と対向し、第二傾斜面４１２は、第一切断面４２１と対向する。
【００２５】
図４（Ｂ）に示す破断位置Ｘは、ワイヤ１１の中心軸をスタッガード型圧接端子２に入れる位置である。破断位置Ｘは、Ｘ軸における第一切断面４２１と第二切断面４２２との距離の中心点であり、Ｚ軸における第三表面４０３と第四表面４０４（第五表面４０５と第六表面４０６）との距離の中心点である。破断位置Ｘに入れるワイヤ１１は、好ましい破断位置を得るため、よい伝導性を有し、ワイヤの破断が発生しにくい。
【００２６】
図４（Ｃ）は、本考案の好ましい実施形態に係るスタッガード型圧接端子２を第二方向から見た第三模式図である。図４（Ｃ）は、Ｈ-Ｈ’線に沿う断面を示す上面模式図である。図４（Ｃ）に示す第一破断箇所Ａ１は、ワイヤ１１をスタッガード型圧接端子２に入れることができるスペースである。第一破断箇所Ａ１は、幅が0.16ｍｍであって、従来の端子より小さいが、より広いワイヤの適用性を得ることができる。
【００２７】
図４（Ｃ）に示す実施形態において、ワイヤの絶縁体を破断する端子６３は、第一刃部４３１及び第二刃部４３２を含む。第一刃部４３１は、基準面Ｐの第一側Ｓ１に位置する第一切断面４２１と、第一切断面４２１に隣接する第一傾斜面４１１と、を含む。第一傾斜面４１１は、基準面Ｐを通過する。第二刃部４３２は、基準面Ｐの第二側Ｓ２に位置する第二切断面４２２と、第二切断面４２２に隣接する第二傾斜面４１２と、を含む。第二傾斜面４１２は、基準面Ｐを通過し且つ第一切断面４２１と対向し、第一傾斜面４１１は、第二切断面４２２に対向する。
【００２８】
図４（Ｄ）は、本考案の好ましい実施形態に係るスタッガード型圧接端子２を第二方向から見た第四模式図である。変位刃部４３３は、前に述べた第一切断面４２１と第二切断面４２２から構成されている。変位刃部４３３は、ワイヤの絶縁体の破損部分が同一方向に集中していない状態を提供して、好ましい破断位置を得るため、よい伝導性を有し、ワイヤの破断が発生しにくく、より広いワイヤの適用性を得ることができる。
【００２９】
図４（Ｅ）は、本考案の好ましい実施形態に係るスタッガード型圧接端子２を第二方向から見た第四模式図である。図４（Ｅ）に示す厚さＷは、スタッガード型圧接端子２の特別構造を説明するためのものである。図４（Ｅ）において、第一変位幅Ｗ１は、第三表面４０３と第五表面４０５との間の距離である。第一変位幅Ｗ１は、第三変位幅Ｗ３と等しくてもよい。第三変位幅Ｗ３は、第四表面４０４と第六表面４０６との間の距離である。第一変位幅Ｗ１と第三変位幅Ｗ３との間には、第二変位幅Ｗ２がある。第二変位幅Ｗ２は、第一切断面４２１と第二切断面４２２との間のスペースによって決定される。
【００３０】
図２、図４（Ｄ）及び図４（Ｅ）に示す好ましい実施形態において、ワイヤ１１の絶縁体を破断する端子６４は、第一刃部４３１及び第二刃部４３２を含む。第一刃部４３１は、厚さＷ及び第一切断面４２１を有する。第二刃部４３２は、厚さＷ及び第二切断面４２２を有する。第一切断面４２１及び第二切断面４２２は、第一変位幅Ｗ１、第二変位幅Ｗ２及び第三変位幅Ｗ３を厚さＷの方向に沿って有する変位刃部４３３を形成する。第一変位幅Ｗ１は、第二変位幅Ｗ２より大きく、第三変位幅Ｗ３は、第二変位幅Ｗ２より大きい。
【００３１】
図４（Ｅ）に示す第一変位幅Ｗ１、第二変位幅Ｗ２及び第三変位幅Ｗ３の幅変化から見れば、第一変位幅Ｗ１は最大幅である。第一変位幅Ｗ１から第二変位幅Ｗ２までの変位幅は、厚さＷの方向に沿って徐々に小さくなる。そして、第二変位幅Ｗ２は、最小幅になる。第二変位幅Ｗ２から第三変位幅Ｗ３までの変位幅は、厚さＷの方向に沿って徐々に大きくなる。そして、第三変位幅Ｗ３は、最大幅になる。
【００３２】
図２、図４（Ｄ）及び図４（Ｅ）に示す好ましい実施形態において、ワイヤ１１の絶縁体を破断する端子６５は、第一刃部４３１及び第二刃部４３２を含む。第一刃部４３１は、厚さＷ及び第一切断面４２１を有する。第二刃部４３２は、厚さＷ及び第二切断面４２２を有する。第一切断面４２１及び第二切断面４２２は、複数の変位幅を有する変位刃部４３３を形成し、変位刃部４３３は、厚さＷの方向に沿う複数の変位幅が等しくない。
【００３３】
図４（Ｅ）に示すように、厚さＷの方向に沿う第一変位幅Ｗ１、第二変位幅Ｗ２及び第三変位幅Ｗ３は等しくない。
【００３４】
図５は、本考案の好ましい実施形態に係るスタッガード型圧接端子２を第一方向から見た断面を示す第六模式図である。
【００３５】
図２及び図５に示す好ましい実施形態において、鋸歯状の圧接端子６６は、第一クリッ２０１及び第二クリップ２０２を含む。第一クリッ２０１は、第三表面４０３、第四表面４０４及び第一鋸歯状の刃部５０１を含む。第二クリップ２０２は、第五表面４０５、第六表面４０６及び第二鋸歯状の刃部５０２を含む。第一鋸歯状の刃部５０１と第二鋸歯状の刃部５０２との間には、第二破断箇所Ａ２が形成される。
【００３６】
第二破断箇所Ａ２は、ワイヤ１１とスタッガード型圧接端子２との間に複数の切口を提供することができる。この特殊な構造は、ワイヤの破断の可能性を減らすことができる。
【００３７】
以上により、本考案に係るスタッガード型圧接端子は、圧接端子に対するワイヤの適用性を拡大し、接触不良及びワイヤの破断を克服することができる。
【００３８】
以上の説明によると、当業者であれば本考案の技術思想を逸脱しない範囲で、多様な変更及び修正が可能であることが分かる。従って、本考案の技術的な範囲は、明細書の詳細な説明に記載された内容に限らず、実用新案登録請求の範囲によって定めなければならない。
【００３９】
［実施例］
１．スタッガード型圧接端子は、第一表面と前記第一表面と反対する第二表面を含むベース部と、前記第一表面から延びる第三表面と、前記第二表面から延びる第四表面と、前記第四表面に隣接する第一傾斜面と、前記第三表面と前記第一傾斜面との間の第三表面に垂直にカットされた第一切断面とを含む第一クリップと、前記第一表面から延びる第五表面と、前記第二表面から延びる第六表面と、前記第五表面に隣接する第二傾斜面と、前記第六表面と前記第二傾斜面との間の第六表面に垂直にカットされた第二切断面とを含む第二クリップと、を含み、前記第一傾斜面は、前記第二切断面と対向し、前記第二傾斜面は、前記第一切断面と対向する。
【００４０】
２．実施例１に記載のスタッガード型圧接端子は、前記第一傾斜面と前記第二傾斜面との間には、破断箇所があり、前記第一切断面と前記第二切断面は、ワイヤの絶縁体の破れに用いて、直径を有する前記ワイヤをクランプする。
【００４１】
３．実施例１〜２に記載のスタッガード型圧接端子は、前記スタッガード型圧接端子は、導電性材料からなり、２２〜３０ＡＷＧのワイヤに適合し、前記第一クリップと前記第二クリップは、前記ベース部からＹ軸方向に平行に延びる。
【００４２】
４．実施例１〜３に記載のスタッガード型圧接端子は、前記第三表面と前記第五表面は、第一平面にあり、前記第四表面と前記第六表面は、第二平面にあり、前記第一傾斜面と前記第一切断面は、第一刃部を形成し、前記第二傾斜面と前記第二切断面は、第二刃部を形成する。
【００４３】
５．接続端子は、ワイヤの絶縁体を破断して接続するための接続端子であって、ベース部と、基準面の第一側に位置する第一切断面と、前記第一切断面に隣接する第一傾斜面と、を含み、前記第一傾斜面が前記基準面を通過し、前記基準面が前記ワイヤの絶縁体の破断位置を通過する第一刃部と、前記ベース部を通過し前記第一刃部に接続する第二刃部であって、前記基準面の第二側に位置する第二切断面と、前記第二切断面に隣接する第二傾斜面と、を含み、前記第二傾斜面が前記基準面を通過し且つ前記第一切断面と対向し、前記第一傾斜面が前記第二切断面に対向する前記第二刃部と、を含む。
【００４４】
６．ワイヤの絶縁体を破断する端子は、基準面の第一側に位置する第一切断面と、前記第一切断面に隣接する第一傾斜面と、を含み、前記第一傾斜面が前記基準面を通過する第一刃部と、前記基準面の第二側に位置する第二切断面と、前記第二切断面に隣接する第二傾斜面と、を含み、前記第二傾斜面が前記基準面を通過し且つ前記第一切断面と対向し、前記第一傾斜面が前記第二切断面に対向する第二刃部と、を含む。
【００４５】
７．ワイヤの絶縁体を破断する端子は、厚さ及び第一切断面を有する第一刃部と、前記厚さ及び第二切断面を有する第二刃部と、を含み、前記第一切断面及び前記第二切断面は、変位幅を前記厚さの方向に沿って有する変位刃部を形成し、前記変位幅は、より大きい変位幅から、前記厚さの方向に沿って徐々により小さくなり、そして前記より小さい変位幅からより大きくなる。
【００４６】
８．ワイヤの絶縁体を破断する端子は、厚さ及び第一切断面を有する第一刃部と、前記厚さ及び第二切断面を有する第二刃部と、を含み、前記第一切断面及び前記第二切断面は、複数の変位幅を有する変位刃部を形成し、前記変位刃部は、前記厚さ方向に沿う前記複数の変位幅が等しくない。
【符号の説明】
【００４７】
２、６１、６２、６３、６４、６５、６６  端子
１１  ワイヤ
１２  接触部分
２１  ベース部
２０１  第一クリップ
２０２  第二クリップ
３０１  第一表面
３０２  第二表面
４０３  第三表面
４０４  第四表面
４０５  第五表面
４０６  第六表面
４１１  第一傾斜面
４１２  第二傾斜面
４２１  第一切断面
４２２  第二切断面
４３１  第一刃部
４３２  第二刃部
４３３  変位刃部
５０１  第一鋸歯状の刃部
５０２  第二鋸歯状の刃部
Ａ１  第一破断箇所
Ａ２  第二破断箇所
Ｐ  基準面
Ｓ１  第一側
Ｓ２  第二側
Ｗ  厚さ
Ｗ１  第一変位幅
Ｗ２  第二変位幅
Ｗ３  第三変位幅
Ｘ  破断位置
【図１（Ａ）】
0003197521.tif 000003
【図１（Ｂ）】
0003197521.tif 000004
【図２】
0003197521.tif 000005
【図３】
0003197521.tif 000006
【図４（Ａ）】
0003197521.tif 000007
【図４（Ｂ）】
0003197521.tif 000008
【図４（Ｃ）】
0003197521.tif 000009
【図４（Ｄ）】
0003197521.tif 000010
【図４（Ｅ）】
0003197521.tif 000011
【図５】
0003197521.tif 000012